(57)【特許請求の範囲】
【請求項１】
物体側より順に、正の屈折力を有する第１レンズ群Ｌ１、負の屈折力を有する第２レンズ群Ｌ２、正の屈折力を有する第３レンズ群Ｌ３、負の屈折力を有する第４レンズ群Ｌ４、負の屈折力を有する第５レンズ群Ｌ５、正の屈折力を有する第６レンズ群Ｌ６で構成され、
無限遠物体から近距離物体への合焦の際に、前記第１レンズ群Ｌ１は像面に対し固定であり、前記第２レンズ群Ｌ２が像面側へ移動すると同時に前記第３レンズ群Ｌ３が物体側へ移動し、
開口絞り、前記第４レンズ群Ｌ４、前記第５レンズ群Ｌ５、前記第６レンズ群Ｌ６が像面に対して固定であり、
前記第５レンズ群Ｌ５が光軸に対して略垂直方向に移動することで、像を光軸に対して垂直方向に移動させることが可能であり、
以下の条件式を満足することを特徴とする防振機能を有するインナーフォーカス式マクロレンズ。
（１）  ０．０５  ＜  ｜ｆ３／ｆ４｜  ＜  １．００
（２）  ０．３０  ＜  ｜ｆ５／ｆ４５６｜  ＜  １．１０
（３）  ０．５０  ＜  ｜ｆ６／ｆ４５６｜  ＜  １．３０
（４）  １．００  ＜  ｜（１−β５）×β６｜  ＜  ２．５０
ｆ３：第３レンズ群Ｌ３の焦点距離
ｆ４：第４レンズ群Ｌ４の焦点距離
ｆ５：第５レンズ群Ｌ５の焦点距離
ｆ６：第６レンズ群Ｌ６の焦点距離
ｆ４５６：第４レンズ群Ｌ４、第５レンズ群Ｌ５、第６レンズ群Ｌ６の合成焦点距離
β５：第５レンズ群Ｌ５の無限遠合焦時の横倍率
β６：第６レンズ群Ｌ６の無限遠合焦時の横倍率
【請求項２】
以下の条件式を満足することを特徴とする請求項１記載の防振機能を有するインナーフォーカス式マクロレンズ。
（５）  ０．０５  ＜  ｜Δｘ３／ｆ｜  ＜０．１７
（６）  ６０  ＜  Ｐ１ν
（７）  ５５  ＜  Ｐ３ν  ＜  ８５
Δｘ３：無限遠物体から近距離物体への合焦時における第３レンズ群Ｌ３の移動量
ｆ：無限遠合焦時の全レンズ系の焦点距離
Ｐ１ν：第１レンズ群Ｌ１の全ての正レンズのｄ線に対するアッベ数の平均値
Ｐ３ν：第３レンズ群Ｌ３の全ての正レンズのｄ線に対するアッベ数の平均値
【請求項３】
以下の条件式を満足することを特徴とする請求項１又は請求項２記載の防振機能を有するインナーフォーカス式マクロレンズ。
（８）  ０．３５  ＜  ｆ１／ｆ  ＜  ０．６５
（９）  ０．２５  ＜  ｜ｆ２／ｆ｜  ＜  ０．５０
（１０）  ０．２０  ＜  ｆ３／ｆ  ＜  ０．４０
（１１）  ０．３０  ＜  ｜ｆ４５６／ｆ｜  ＜  ０．６０
ｆ：無限遠合焦時の全レンズ系の焦点距離
ｆ１：第１レンズ群Ｌ１の焦点距離
ｆ２：第２レンズ群Ｌ２の焦点距離
ｆ３：第３レンズ群Ｌ３の焦点距離
ｆ４５６：第４レンズ群Ｌ４、第５レンズ群Ｌ５、第６レンズ群Ｌ６の合成焦点距離
【発明の詳細な説明】
【技術分野】
【０００１】
本発明は、インナーフォーカスタイプを採用し、無限遠物体から撮影倍率等倍を可能とし、手ブレ等による像ブレを補正するための防振機能を有する、特にデジタルカメラ、銀塩カメラ及びビデオカメラ等に好適な光学系に関するものである。
【背景技術】
【０００２】
防振機能を有するインナーフォーカス式マクロレンズにおいて、防振レンズ群の配置を有利にするための防振レンズ群の特徴は、フォーカス時に光軸方向に移動しないこと、レンズ径が小さいこと、防振時の移動量が少ないことが挙げられる。
【０００３】
また手ブレ量が同じ場合に撮影倍率が等倍近辺であるときの像ブレ量は無限遠撮影時の像ブレ量より大きくなるため、マクロレンズと呼称しない撮影距離が無限遠から撮影倍率０．３倍未満であるレンズと比較して防振レンズ群の移動量に対する像の変化量の割合である防振係数を大きくする必要がある。
【０００４】
防振レンズ群の配置が有利であると考えられる防振機能を有するインナーフォーカス式マクロレンズとして例えば以下の特許文献１〜４が上げられる。
【先行技術文献】
【特許文献】
【０００５】
【特許文献１】特開２００６−１０６１１２号公報
【０００６】
【特許文献２】特開２００９−１７５２０２号公報
【０００７】
【特許文献３】特開２００９−２８８３８４号公報
【０００８】
【特許文献４】特開２０１０−００２７９０号公報
【発明の概要】
【発明が解決しようとする課題】
【０００９】
特許文献１、２、３におけるレンズでは、防振レンズ群がフォーカス時に光軸方向に移動せず、防振レンズの外径が小さいため防振レンズ群の配置に有利である。しかし防振係数が小さいため防振時の防振レンズ移動量を大きくする必要がある。そのため、防振ユニットの大型化を招き、製品外径が大きくなる問題がある。また、製品外径を抑えるために防振時の防振レンズ移動量を少なくすると撮影倍率が等倍近辺であるときの手ブレ補正量が無限遠撮影時と比較して小さくなり、手ブレ補正効果が少なくなる。
【００１０】
一方、特許文献４におけるレンズでは、特許文献１、２、３同様、防振レンズ群がフォーカス時に光軸方向に移動せず、防振レンズの外径が小さいため防振レンズ群の配置に有利であり、さらに、特許文献１、２、３と比較して防振係数が大きく、撮影倍率の絶対値が１．０倍であるときの像ブレ補正量も大きくし易い。しかし、特許文献１、２、３と比較してコマ収差、倍率色収差が悪化しているため防振時の性能劣化が大きい。
【００１１】
本発明は、防振レンズ群の配置が有利で、最大撮影倍率が等倍近辺であるときにも十分な像ブレ補正が可能であり、かつ全撮影領域で諸収差を良好に補正した、防振機能を有するインナーフォーカス式マクロレンズを提供することを目的とする。
【課題を解決するための手段】
【００１２】
物体側より順に、正の屈折力を有する第１レンズ群Ｌ１、負の屈折力を有する第２レンズ群Ｌ２、正の屈折力を有する第３レンズ群Ｌ３、負の屈折力を有する第４レンズ群Ｌ４、負の屈折力を有する第５レンズ群Ｌ５、正の屈折力を有する第６レンズ群Ｌ６で構成され、無限遠物体から近距離物体への合焦の際に、第１レンズ群Ｌ１は像面に対し固定であり、第２レンズ群Ｌ２が像面側へ移動すると同時に第３レンズ群Ｌ３が物体側へ移動し、開口絞り、前記第４レンズ群Ｌ４、前記第５レンズ群Ｌ５、前記第６レンズ群Ｌ６が像面に対して固定であり、第５レンズ群Ｌ５が光軸に対して略垂直方向に移動することで、像を光軸に対して垂直方向に移動させることが可能であり、以下の条件式を満足することを特徴とする。
（１）  ０．０５  ＜  ｜ｆ３／ｆ４｜  ＜  １．００
（２）  ０．３０  ＜  ｜ｆ５／ｆ４５６｜  ＜  １．１０
（３）  ０．５０  ＜  ｜ｆ６／ｆ４５６｜  ＜  １．３０
（４）  １．００  ＜  ｜（１−β５）×β６｜  ＜  ２．５０
ｆ３：第３レンズ群Ｌ３の焦点距離
ｆ４：第４レンズ群Ｌ４の焦点距離
ｆ５：第５レンズ群Ｌ５の焦点距離
ｆ６：第６レンズ群Ｌ６の焦点距離
ｆ４５６：第４レンズ群Ｌ４、第５レンズ群Ｌ５、第６レンズ群Ｌ６の合成焦点距離
β５：第５レンズ群Ｌ５の無限遠合焦時の横倍率
β６：第６レンズ群Ｌ６の無限遠合焦時の横倍率
【００１３】
また、以下の条件式を満足することを特徴とする。
（５）  ０．０５  ＜  ｜Δｘ３／ｆ｜  ＜０．１７
（６）  ６０  ＜  Ｐ１ν
（７）  ５５  ＜  Ｐ３ν  ＜  ８５
Δｘ３：無限遠物体から近距離物体への合焦時における第３レンズ群Ｌ３の移動量
ｆ：無限遠合焦時の全レンズ系の焦点距離
Ｐ１ν：第１レンズ群Ｌ１の全ての正レンズのｄ線に対するアッベ数の平均値
Ｐ３ν：第３レンズ群Ｌ３の全ての正レンズのｄ線に対するアッベ数の平均値
【００１４】
また、以下の条件式を満足することを特徴とする。
（８）  ０．３５  ＜  ｆ１／ｆ  ＜  ０．６５
（９）  ０．２５  ＜  ｜ｆ２／ｆ｜  ＜  ０．５０
（１０）  ０．２０  ＜  ｆ３／ｆ  ＜  ０．４０
（１１）  ０．３０  ＜  ｜ｆ４５６／ｆ｜  ＜  ０．６０
ｆ：無限遠合焦時の全レンズ系の焦点距離
ｆ１：第１レンズ群Ｌ１の焦点距離
ｆ２：第２レンズ群Ｌ２の焦点距離
ｆ３：第３レンズ群Ｌ３の焦点距離
ｆ４５６：第４レンズ群Ｌ４、第５レンズ群Ｌ５、第６レンズ群Ｌ６の合成焦点距離
【発明の効果】
【００１６】
本発明は上記条件を満足することで、防振レンズ群の配置が有利で、最大撮影倍率が等倍近辺であるときにも十分な像ブレ補正が可能であり、かつ全撮影領域で諸収差を良好に補正した、防振機能を有するインナーフォーカ式マクロレンズを提供することが可能となる。
【図面の簡単な説明】
【００１７】
【図１】本発明の実施例１のレンズ構成図である。
【図２】本発明の実施例１の撮影距離無限遠における諸収差である。
【図３】本発明の実施例１の撮影倍率｜β｜＝１．０における諸収差である。
【図４】本発明の実施例１の撮影距離無限遠における標準状態の横収差図である。
【図５】本発明の実施例１の撮影距離無限遠における０．３０°手ブレ補正時の横収差図である。
【図６】本発明の実施例１の撮影倍率｜β｜＝１．０における標準状態の横収差図である。
【図７】本発明の実施例１の撮影倍率｜β｜＝１．０における０．３０°手ブレ補正時の横収差図である。
【図８】本発明の実施例２のレンズ構成図である。
【図９】本発明の実施例２の撮影距離無限遠における諸収差である。
【図１０】本発明の実施例２の撮影倍率｜β｜＝１．０における諸収差である。
【図１１】本発明の実施例２の撮影距離無限遠における標準状態の横収差図である。
【図１２】本発明の実施例２の撮影距離無限遠における０．３０°手ブレ補正時の横収差図である。
【図１３】本発明の実施例２の撮影倍率｜β｜＝１．０における標準状態の横収差図である。
【図１４】本発明の実施例２の撮影倍率｜β｜＝１．０における０．３０°手ブレ補正時の横収差図である。
【図１５】本発明の実施例３のレンズ構成図である。
【図１６】本発明の実施例３の撮影距離無限遠における諸収差である。
【図１７】本発明の実施例３の撮影倍率｜β｜＝１．０における諸収差である。
【図１８】本発明の実施例３の撮影距離無限遠における標準状態の横収差図である。
【図１９】本発明の実施例３の撮影距離無限遠における０．３０°手ブレ補正時の横収差図である。
【図２０】本発明の実施例３の撮影倍率｜β｜＝１．０における標準状態の横収差図である。
【図２１】本発明の実施例３の撮影倍率｜β｜＝１．０における０．３０°手ブレ補正時の横収差図である。
【図２２】本発明の実施例４のレンズ構成図である。
【図２３】本発明の実施例４の撮影距離無限遠における諸収差である。
【図２４】本発明の実施例４の撮影倍率｜β｜＝１．０における諸収差である。
【図２５】本発明の実施例４の撮影距離無限遠における標準状態の横収差図である。
【図２６】本発明の実施例４の撮影距離無限遠における０．３０°手ブレ補正時の横収差図である。
【図２７】本発明の実施例４の撮影倍率｜β｜＝１．０における標準状態の横収差図である。
【図２８】本発明の実施例４の撮影倍率｜β｜＝１．０における０．３０°手ブレ補正時の横収差図である。
【図２９】本発明の実施例５のレンズ構成図である。
【図３０】本発明の実施例５の撮影距離無限遠における諸収差である。
【図３１】本発明の実施例５の撮影倍率｜β｜＝１．０における諸収差である。
【図３２】本発明の実施例５の撮影距離無限遠における標準状態の横収差図である。
【図３３】本発明の実施例５の撮影距離無限遠における０．３０°手ブレ補正時の横収差図である。
【図３４】本発明の実施例５の撮影倍率｜β｜＝１．０における標準状態の横収差図である。
【図３５】本発明の実施例５の撮影倍率｜β｜＝１．０における０．３０°手ブレ補正時の横収差図である。
【図３６】第４レンズ群Ｌ４の配置の優位性を説明するためにレンズ構成の一部を抜粋した図であり、防振係数が小さい場合である。
【図３７】第４レンズ群Ｌ４の配置の優位性を説明するためにレンズ構成の一部を抜粋した図であり、防振係数が大きい場合である。
【図３８】第４レンズ群Ｌ４の配置の優位性を説明するためにレンズ構成の一部を抜粋した図であり、防振係数が大きいまま防振レンズ群より像側のレンズの光線高を下げた場合である。
【図３９】第４レンズ群Ｌ４の配置の優位性を説明するためにレンズ構成の一部を抜粋した図であり、防振レンズ群より物体側に負レンズ群を加えた場合である。
【発明を実施するための形態】
【００１８】
本発明に記載の防振機能を有するインナーフォーカス式マクロレンズは、物体側より順に、正の屈折力を有する第１レンズ群Ｌ１、負の屈折力を有する第２レンズ群Ｌ２、正の屈折力を有する第３レンズ群Ｌ３、負の屈折力を有する第４レンズ群Ｌ４、負の屈折力を有する第５レンズ群Ｌ５、正の屈折力を有する第６レンズ群Ｌ６で構成される。
【００１９】
また、本発明に記載の防振機能を有するインナーフォーカス式マクロレンズは、無限遠物体から近距離物体への合焦の際に、第１レンズ群Ｌ１は像面に対し固定であり、第２レンズ群Ｌ２が像面側へ移動すると同時に第３レンズ群Ｌ３が物体側へ移動し、開口絞り、前記第４レンズ群Ｌ４、前記第５レンズ群Ｌ５、前記第６レンズ群Ｌ６が像面に対し固定である。さらに、第５レンズ群Ｌ５が光軸に対して略垂直方向に移動することで、像を光軸に対して垂直方向に移動させることが可能となる。
【００２０】
図１は本発明の実施例１の防振機能を有するインナーフォーカス式マクロレンズのレンズ構成図を示したものであり、図２は実施例１の撮影距離無限遠における諸収差、図３は実施例１の撮影倍率｜β｜＝１．０における諸収差を表した図である。
【００２１】
図４は実施例１の撮影距離無限遠における標準状態での横収差図、図５は実施例１の撮影距離無限遠における０．３０°手ブレ補正時の横収差図、図６は実施例１の撮影倍率｜β｜＝１．０における標準状態での横収差図、図７は実施例１の撮影倍率｜β｜＝１．０における０．３０°手ブレ補正時の横収差図である。
【００２２】
なお、各収差図において、ｄ線、ｇ線、Ｃ線はそれぞれの波長に対する収差であり、ΔＳはサジタル像面、ΔＭはメリジオナル像面を示す。これは、以降の収差図においても同様とする。
【００２３】
図８は本発明の実施例２の防振機能を有するインナーフォーカス式マクロレンズのレンズ構成図を示したものであり、図９は実施例２の撮影距離無限遠における諸収差、図１０は実施例２の撮影倍率｜β｜＝１．０における諸収差を表した図である。
【００２４】
図１１は実施例２の撮影距離無限遠における標準状態での横収差図、図１２は実施例２の撮影距離無限遠における０．３０°手ブレ補正時の横収差図、図１３は実施例２の撮影倍率｜β｜＝１．０における標準状態での横収差図、図１４は実施例２の撮影倍率｜β｜＝１．０における０．３０°手ブレ補正時の横収差図である。
【００２５】
図１５は本発明の実施例３の防振機能を有するインナーフォーカス式マクロレンズのレンズ構成図を示したものであり、図１６は実施例３の撮影距離無限遠における諸収差、図１７は実施例３の撮影倍率｜β｜＝１．０における諸収差を表した図である。
【００２６】
図１８は実施例３の撮影距離無限遠における標準状態での横収差図、図１９は実施例３の撮影距離無限遠における０．３０°手ブレ補正時の横収差図、図２０は実施例３の撮影倍率｜β｜＝１．０における標準状態での横収差図、図２１は実施例３の撮影倍率｜β｜＝１．０における０．３０°手ブレ補正時の横収差図である。
【００２７】
図２２は本発明の実施例４の防振機能を有するインナーフォーカス式マクロレンズのレンズ構成図を示したものであり、図２３は実施例４の撮影距離無限遠における諸収差、図２４は実施例４の撮影倍率｜β｜＝１．０における諸収差を表した図である。
【００２８】
図２５は実施例４の撮影距離無限遠における標準状態での横収差図、図２６は実施例４の撮影距離無限遠における０．３０°手ブレ補正時の横収差図、図２７は実施例４の撮影倍率｜β｜＝１．０における標準状態での横収差図、図２８は実施例４の撮影倍率｜β｜＝１．０における０．３０°手ブレ補正時の横収差図である。
【００２９】
図２９は本発明の実施例５の防振機能を有するインナーフォーカス式マクロレンズのレンズ構成図を示したものであり、図３０は実施例５の撮影距離無限遠における諸収差、図３１は実施例５の撮影倍率｜β｜＝１．０における諸収差を表した図である。
【００３０】
図３２は実施例５の撮影距離無限遠における標準状態での横収差図、図３３は実施例５の撮影距離無限遠における０．３０°手ブレ補正時の横収差図、図３４は実施例５の撮影倍率｜β｜＝１．０における標準状態での横収差図、図３５は実施例５の撮影倍率｜β｜＝１．０における０．３０°手ブレ補正時の横収差図である。
【００３１】
本発明に記載の防振機能を有するインナーフォーカス式マクロレンズは、さらに以下の条件式を満足するよう構成されている。
（１）  ０．０５  ＜  ｜ｆ３／ｆ４｜  ＜  １．００
（２）  ０．３０  ＜  ｜ｆ５／ｆ４５６｜  ＜  １．１０
（３）  ０．５０  ＜  ｜ｆ６／ｆ４５６｜  ＜  １．３０
（４）  １．００  ＜  ｜（１−β５）×β６｜  ＜  ２．５０
【００３２】
ここで、ｆ３は第３レンズ群Ｌ３の焦点距離、ｆ４は第４レンズ群Ｌ４の焦点距離、ｆ５は第５レンズ群Ｌ５の焦点距離、ｆ６は第６レンズ群Ｌ６の焦点距離、ｆ４５６は第４レンズ群Ｌ４、第５レンズ群Ｌ５、第６レンズ群Ｌ６の合成焦点距離、β５は第５レンズ群Ｌ５の無限遠合焦時の横倍率、β６は第６レンズ群Ｌ６の無限遠合焦時の横倍率、ｆは無限遠合焦時の全レンズ系の焦点距離である。
【００３３】
条件式（１）は第３レンズ群Ｌ３の焦点距離と第４レンズ群Ｌ４の焦点距離の関係を規定したものであり、第４レンズ群Ｌ４の効果に関するものである。
【００３４】
まずここで図３６〜図３９を用いて第４レンズ群Ｌ４の配置の優位性を説明する。
【００３５】
防振時の手ブレ補正角を一定とし、第４レンズ群Ｌ４に該当するレンズ群が無い場合、防振レンズ群より物体側にあるレンズ群をＬａ、防振レンズ群をＬｏｓ、防振レンズ群より像側にあるレンズ群をＬｂとしたとき、防振時の防振レンズ群Ｌｏｓの移動量を少なくするには防振レンズ群Ｌｏｓの屈折力を強くし、防振係数を大きくしなければならない。そのため、防振レンズ群Ｌｏｓより像面側での光線が高くなりレンズ群Ｌｂの径が大きくなることで製品外径が大きくなる（図３６、図３７）。
【００３６】
これを抑えるためには防振レンズ群Ｌｏｓより物体側での光線高を下げておく必要があり、レンズ群Ｌａを用いて防振レンズ群より物体側にある正の屈折力を強くする必要がある（図３８）。
【００３７】
しかしそうすると防振レンズ群Ｌｏｓに到達する周縁光線の入射角がきつくなることで偏芯コマ収差の補正が困難となり、さらに軸外光線における像面湾曲の補正も困難となるため好ましくない。防振レンズ群Ｌｏｓの前に負の屈折力のレンズ群Ｌｃを配置することで防振レンズ群Ｌｏｓに到達する周縁光線の入射角をゆるくすることができ良好な収差補正が可能となる（図３９）。本発明では第４レンズ群Ｌ４が上記の防振レンズ群Ｌｏｓの前の負の屈折力のレンズ群Ｌｃに該当する。
【００３８】
条件式（１）の上限を越える場合は第４レンズ群Ｌ４の焦点距離が短くなり屈折力が強くなるため、第４レンズ群Ｌ４で発生するコマ収差、非点収差が大きくなることで収差バランスの悪化を招き好ましくない。下限を越える場合は防振レンズ群に入射する周縁光線の入射角がきつくなることで特に第５レンズ群Ｌ５で発生するコマ収差、非点収差の補正が困難となり、防振時の偏芯コマ収差、像面湾曲の悪化を招き好ましくない。
【００３９】
条件式（２）、条件式（３）は第５レンズ群Ｌ５の焦点距離、第６レンズ群Ｌ６の焦点距離を規定したものであり、防振係数に関するものである。
【００４０】
条件式（２）の上限を越える場合は第５レンズ群Ｌ５の焦点距離が長くなり屈折力が小さくなることで防振係数を大きくすることが困難となり、防振時に必要とする移動量が増え製品外径が大きくなり好ましくない。もしくは必要とする防振係数の条件を満たそうとすると収差バランスが悪化し好ましくない。
【００４１】
条件式（２）の下限を越える場合は第５レンズ群Ｌ５の焦点距離が短くなり屈折力が強くなるため防振係数を大きくし易くなるがコマ収差、非点収差が悪化し、特に防振時の偏芯コマ収差、像面湾曲が悪化するため好ましくない。
【００４２】
条件式（３）の上限を越える場合は第６レンズ群Ｌ６の焦点距離が長くなり防振係数を大きくすることが困難となる。必要とする防振係数の条件を満たそうとすると収差補正のバランスが悪化し好ましくない。
【００４３】
条件式（３）の下限を越える場合は第６レンズ群Ｌ６の焦点距離が短くなり防振係数を大きくし易くなるがバックフォーカスを確保することが困難となる。また球面収差が大きくなることで収差補正のバランスが悪化し好ましくない。
【００４４】
条件式（４）は防振係数の良好な範囲を規定したものであり、防振時のレンズ移動量に関するものである。
【００４５】
防振係数ｋは防振レンズ群の移動量Δｘと像の変化量ΔＨの比であって、ｋ＝ΔＨ／Δｘと表せる。また防振係数ｋは防振レンズ群の横倍率をβｏｓ、防振レンズ群より像側にある全てのレンズ群の合成横倍率をβｒとするとｋ＝（１−βｏｓ）×βｒとなり横倍率のみで表せる。
【００４６】
条件式（４）の上限を越える場合は防振係数が大きくなり製品外径を小さくするのに有利になるが、そのためには各レンズ群の屈折力を強くする必要がある。特に第５レンズ群Ｌ５の屈折力が強くなることで、コマ収差、非点収差、さらに防振時の偏芯コマ収差、像面湾曲、倍率色収差の変動が大きくなり、収差補正が困難となるため好ましくない。
【００４７】
条件式（４）の下限を越える場合は収差補正に有利になるが、防振係数が小さくなるために防振時に必要とする移動量が増え、製品外径が大きくなり好ましくない。製品外径をより効果的に抑えるために下限値を１．３程度にすることがより望ましい。
【００４８】
以上の構成により本発明の目的は達成されるが、より望ましくは、さらに以下の条件式を満足するのが良い。
（５）  ０．０５  ＜  ｜Δｘ３／ｆ｜  ＜０．１７
（６）  ６０  ＜  Ｐ１ν
（７）  ５５  ＜  Ｐ３ν  ＜  ８５
【００４９】
ここで、Δｘ３は無限遠物体から撮影倍率が等倍近辺となる物体への合焦時における第３レンズ群Ｌ３の移動量、ｆは無限遠合焦時の全レンズ系の焦点距離、Ｐ１νは第１レンズ群Ｌ１の全ての正レンズのｄ線に対するアッベ数の平均値、Ｐ３νは第３レンズ群Ｌ３の全ての正レンズのｄ線に対するアッベ数の平均値である。
【００５０】
条件式（５）は第３レンズ群Ｌ３のフォーカス移動量と収差補正に関するものである。
【００５１】
条件式（５）の上限を超える場合は第３レンズ群Ｌ３のフォーカス移動量が長くなり、レンズ系の全長が伸びるため好ましくない。レンズ系の全長を抑えようとすると第２レンズ群Ｌ２の焦点距離を短くする必要が生じる。これにより、第２レンズ群Ｌ２の屈折力が強くなることで特にコマ収差が悪化し、フォーカス群移動の際のコマ収差の変動が大きくなり、良好な収差補正を行うことが困難となるため好ましくない。
【００５２】
条件式（５）の下限を越える場合は第３レンズ群Ｌ３のフォーカス移動量が短くなり、主に第３レンズ群Ｌ３の屈折力が強くなる。これにより、前後の群との屈折力のバランスが崩れ収差補正が困難となる。特に第３レンズ群Ｌ３の球面収差が悪化し良好な収差補正を行うことが困難となるため好ましくない。
【００５３】
条件式（６）、（７）は色収差補正に関するものである。
【００５４】
条件式（６）の下限を越える場合は第１レンズ群Ｌ１で発生する軸上の色収差が悪化し、他の群での軸上、倍率の色収差補正が困難となるため好ましくない。軸上の色収差をより効果的に抑えるために下限値を６５程度にすることがより望ましい。
【００５５】
条件式（７）の上限を越える場合は比較的低屈折率の媒質を用いることになる。そのため第３レンズ群Ｌ３の球面収差が悪化しフォーカス群移動の際の収差変動が大きくなる。これにより、良好な収差補正を行うことが困難となるため好ましくない。条件式（７）の下限を越える場合は倍率の色収差補正が悪化し、フォーカス群移動の際の軸上、倍率の色収差が悪化するため好ましくない。
【００５６】
より望ましくは、さらに以下の条件式を満足するのが良い。
（８）  ０．３５  ＜  ｆ１／ｆ  ＜  ０．６５
（９）  ０．２５  ＜  ｜ｆ２／ｆ｜  ＜  ０．５０
（１０）  ０．２０  ＜  ｆ３／ｆ  ＜  ０．４０
（１１）  ０．３０  ＜  ｜ｆ４５６／ｆ｜  ＜  ０．６０
【００５７】
ここで、ｆは無限遠合焦時の全レンズ系の焦点距離、ｆ１は第１レンズ群Ｌ１の焦点距離、ｆ２は第２レンズ群Ｌ２の焦点距離、ｆ３は第３レンズ群Ｌ３の焦点距離、ｆ４５６は第４レンズ群Ｌ４、第５レンズ群Ｌ５、第６レンズ群Ｌ６の合成焦点距離である。
【００５８】
条件式（８）は全系の焦点距離に対して第１レンズ群Ｌ１の焦点距離を規定したものであり、収差補正と製品全長に関するものである。
【００５９】
条件式（８）の上限を越えた場合は第１レンズ群Ｌ１の焦点距離が長くなり収差補正に有利に働くが、レンズ系の全長が伸び製品全長の短縮に不利になるため好ましくない。条件式（８）の下限を越えた場合は第１レンズ群Ｌ１の焦点距離が短くなり球面収差、軸上色収差を始め諸収差が悪化し、特に無限遠撮影時の球面収差の補正が困難となるため好ましくない。
【００６０】
条件式（９）は全系の焦点距離に対して第２レンズ群Ｌ２の焦点距離を規定したものであり、フォーカス群移動の際の収差補正に関するものである。
【００６１】
条件式（９）の上限を越えた場合は第２レンズ群Ｌ２の焦点距離が長くなり等倍撮影までに必要とするフォーカス群移動量が大きくなる。これにより、レンズ系の全長が伸びることになり好ましくない。条件式（９）の下限を越えた場合は第２レンズ群Ｌ２の焦点距離が短くなり、特にコマ収差が悪化してフォーカス群移動の際のコマ収差の変動が大きくなり、良好な収差補正を行うことが困難となるため好ましくない。
【００６２】
条件式（１０）は全系の焦点距離に対して第３レンズ群Ｌ３の焦点距離を規定したものであり、フォーカス群移動の際の収差補正に関するものである。
【００６３】
条件式（１０）の上限を越えた場合は第３レンズ群Ｌ３の焦点距離が長くなり等倍撮影までに必要とするフォーカス群移動量が大きくなる。これにより、レンズ系の全長が伸びることになり好ましくない。条件式（１０）の下限を越えた場合は第３レンズ群Ｌ３の焦点距離が短くなり、屈折力が強くなることで前後の群との屈折力のバランスが崩れ、収差補正が困難となる。特に球面収差が悪化し、良好な収差補正を行うことが困難となるため好ましくない。
【００６４】
条件式（１１）は全系の焦点距離に対して第４レンズ群Ｌ４と第５レンズ群Ｌ５と第６レンズ群Ｌ６の合成焦点距離を規定したものであり、製品全長、外径に関するものである。
【００６５】
条件式（１１）の上限を越えた場合は合成焦点距離が長くなることにより望遠比が大きくなり、レンズ系が伸びるため好ましくない。また射出瞳が物体側に移動し第６レンズ群Ｌ６における最大画角の光線高が高くなる。これにより、十分な周辺光量を確保しようとすると製品外径が大きくなるため好ましくない。
【００６６】
条件式（１１）の下限を越えた場合は合成焦点距離が短くなることによりレンズ系のバックフォーカスが短くなり、一眼レフカメラに取り付ける場合にミラー干渉等の不具合を起こす。また球面収差が補正過剰となり、収差補正のバランスが悪化し好ましくない。
【００６７】
無限遠物体から近距離物体への合焦の際に、開口絞り、第４レンズ群Ｌ４、第５レンズ群Ｌ５、第６レンズ群Ｌ６を像面に対し固定とする。
【００６８】
これにより、防振レンズ群を動作、制御するための電装パーツ、メカニカルパーツがフォーカス群移動の際に不動となり、防振レンズ群の配置を有利にできる。また、製品の製造誤差をより少なくすることができる。
【００６９】
また、レンズ鏡室の内径を設定する又は無限遠物体から近距離物体への合焦の際に絞り径が小さくなるように絞り径を可変とすることが望ましい。これにより、無限遠物体から近距離物体への合焦の際に良好な収差補正を維持するため所定のＦナンバーになるよう設定することができる。
【００７０】
また、第３レンズ群Ｌ３内の正レンズのいずれかに異常部分分散性を持った低分散媒質を用いることが望ましい。これにより、全撮影距離における軸上の色収差、無限遠撮影時の倍率の色収差を良好に補正することができる。
【００７１】
また、第１レンズ群Ｌ１内の幾つかの正レンズには異常部分分散性を持った低分散媒質を用いることが望ましい。これにより、全撮影距離における軸上の色収差、倍率の色収差を良好に補正することができる。
【００７２】
また、第６レンズ群Ｌ６の最も物体側の面を物体側に凸を向けた状態にし、軸外光線の光線高を下げる作用を持たせることが望ましい。これにより、強い屈折力を持つ第５レンズ群Ｌ５による軸外光線の光線高の上昇を抑えることができ、製品外径を抑えることができる。
【００７３】
以下、上述した実施例１〜５に各々対応する数値実施例を示す。
【００７４】
［全体諸元］中のｆは焦点距離、ＦｎｏはＦナンバー、Ｙは光軸からの最大像高を表す。
【００７５】
［レンズ諸元］中の第１列の番号は物体側からのレンズ面の番号、第２列ｒはレンズ面の曲率半径、第３列ｄはレンズ面間隔、第４列ｎｄはｄ線（波長λ＝５８７．５６ｍｍ）に対する屈折率、第５列νｄはｄ線に対するアッベ数である。第２列の「絞り」は絞り面を表し、第３列のＢｆはバックフォーカスを表す。
【００７６】
［可変間隔］は可変間隔の値を示す。
【００７７】
［レンズ群データ］は各レンズ群の焦点距離を示す。
【００７８】
また、［条件式対応値］は各数値実施例における本発明の各条件式の値を示す。
【００７９】
なお、以下の全ての諸元の値において、記載している焦点距離ｆ、曲率半径ｒ、レンズ面間隔ｄ、その他の長さの単位は特記のない場合「ｍｍ」を使用するが、光学系では比例拡大と比例縮小とにおいても同等の光学性能が得られるので、これに限られるものではない。これらの符号は以降の他の実施例においても同様であり説明は省略する。
【００８０】
［数値実施例１］
［全体諸元］
INF  |β|=0.5|β|=1.0
f     147.46  106.21   78.58
Fno     2.92    4.36    5.82
Y      21.63   21.63   21.63
【００８１】
［レンズ諸元］
ｒ          ｄ        ｎｄ       νｄ
[1]         172.8574     6.1500    1.65844      50.85
[2]        -235.6130     0.2000
[3]         112.5713     8.0000    1.49700      81.61
[4]        -112.5713     1.8000    1.80518      25.46
[5]               ∞     0.2000
[6]          54.2824     9.8000    1.49700      81.61
[7]        -123.1553     1.7000    1.77250      49.62
[8]         316.9267         d8
[9]         271.0617     1.3000    1.72916      54.67
[10]         55.9022     3.7400
[11]      -1000.0000     4.3000    1.84666      23.78
[12]        -63.5280     1.2000    1.48749      70.44
[13]         93.4605     2.7400
[14]       1026.8535     1.2000    1.72916      54.67
[15]        110.9706        d15
[16]            絞り        d16
[17]        100.5015     4.7700    1.72916      54.67
[18]        -77.3089     0.1500
[19]         59.2968     5.7100    1.49700      81.61
[20]        -59.2968     1.3000    1.80518      25.46
[21]       -489.1568        d21
[22]       -114.3680     1.2000    1.53172      48.84
[23]        231.3033     3.5000
[24]        241.0084     3.3000    1.80518      25.46
[25]        -56.2213     0.9500    1.72916      54.67
[26]         34.6735     3.4300
[27]        -86.8556     0.9500    1.72916      54.67
[28]        139.5220     2.5000
[29]         65.1284     6.5000    1.80420      46.50
[30]        -84.6669     0.4600
[31]       -397.5440     2.0000    1.78472      25.72
[32]         41.3949     5.7600    1.83400      37.35
[33]        521.4793         Bf
【００８２】
［可変間隔］
INF     |β|=0.5   |β|=1.0
d8      2.7700    11.5375    21.9179
d15    25.7700    17.0025     6.6221
d16    21.9400    11.8572     2.5000
d21     2.5800    12.6628    22.0200
【００８３】
［レンズ群データ］
群番号     先頭面   群焦点距離
1          1          76.7515
2          9         -58.0304
3          17         46.4457
4          22       -143.7530
5          24        -32.7958
6          29         51.8585
4,5,6        22        -68.1672
【００８４】
［条件式対応値］
実施例１
条件式（１）            0.32
条件式（２）            0.48
条件式（３）            0.76
条件式（４）            1.85
条件式（５）            0.13
条件式（６）           71.36
条件式（７）           68.14
条件式（８）            0.52
条件式（９）            0.39
条件式（１０）          0.31
条件式（１１）          0.46
【００８５】
［数値実施例２］
［全体諸元］
INF  |β|=0.5|β|=1.0
f     150.00  106.51   78.23
Fno     2.92    4.37    5.83
Y      21.63   21.63   21.63
【００８６】
［レンズ諸元］
ｒ          ｄ        ｎｄ       νｄ
[1]         172.3015     6.2500    1.65844      50.85
[2]        -240.1703     0.6000
[3]         117.3228     7.8700    1.49700      81.61
[4]        -117.3228     1.8000    1.80518      25.46
[5]               ∞     0.2000
[6]          51.3542    10.3700    1.49700      81.61
[7]        -118.7741     1.7000    1.77250      49.62
[8]         303.8511         d8
[9]         171.2605     1.3000    1.72916      54.67
[10]         49.9070     4.2000
[11]       -944.6684     4.4500    1.84666      23.78
[12]        -60.4640     1.2000    1.48749      70.44
[13]        303.9765     2.2100
[14]       -315.1893     1.2000    1.72916      54.67
[15]         86.6671        d15
[16]            絞り        d16
[17]         99.4050     4.8500    1.72916      54.67
[18]        -76.1692     0.1500
[19]         59.6187     5.8000    1.49700      81.61
[20]        -59.6187     1.2000    1.80518      25.46
[21]       -592.3620        d21
[22]       -132.8024     1.2000    1.68893      31.16
[23]        307.7510     3.0000
[24]        107.4042     3.5000    1.80518      25.46
[25]        -67.3066     0.9500    1.72916      54.67
[26]         32.7082     3.6300
[27]        -82.6498     0.9500    1.71300      53.94
[28]        110.3321     2.5000
[29]         67.0168     6.3500    1.80611      40.73
[30]        -87.1218     0.7200
[31]       -228.2708     1.5500    1.75520      27.53
[32]         33.1513     6.6200    1.83400      37.35
[33]        581.2078         Bf
【００８７】
［可変間隔］
INF     |β|=0.5   |β|=1.0
d8      2.4200    10.5359    20.1009
d15    24.6600    16.5441     6.9791
d16    22.5200    12.0489     2.5000
d21     2.5500    13.0211    22.5700
【００８８】
［レンズ群データ］
群番号     先頭面   群焦点距離
1          1          75.3347
2          9         -54.5958
3          17         46.5515
4          22       -134.5084
5          24        -34.6534
6          29         53.3397
4,5,6        22        -68.0556
【００８９】
［条件式対応値］
実施例２
条件式（１）            0.35
条件式（２）            0.51
条件式（３）            0.78
条件式（４）            1.76
条件式（５）            0.13
条件式（６）           71.36
条件式（７）           68.14
条件式（８）            0.50
条件式（９）            0.36
条件式（１０）          0.31
条件式（１１）          0.45
【００９０】
［数値実施例３］
［全体諸元］
INF  |β|=0.5|β|=1.0
f     145.55   105.14   77.74
Fno     2.92     4.37    5.83
Y      21.63    21.63   21.63
【００９１】
［レンズ諸元］
ｒ          ｄ        ｎｄ       νｄ
[1]         167.5839     6.0000    1.65844      50.85
[2]        -251.8143     0.2000
[3]         115.7602     7.7000    1.49700      81.61
[4]        -115.7602     1.8000    1.80518      25.46
[5]               ∞     0.2000
[6]          54.3555     9.8500    1.49700      81.61
[7]        -112.5151     1.7000    1.77250      49.62
[8]         391.6986         d8
[9]         258.3442     1.3000    1.72916      54.67
[10]         57.6938     3.6900
[11]       -862.1512     4.2400    1.84666      23.78
[12]        -64.3349     1.2000    1.48749      70.44
[13]        106.6494     2.4200
[14]        615.4091     1.2000    1.72916      54.67
[15]         89.6157        d15
[16]            絞り        d16
[17]        105.1738     4.7500    1.72916      54.67
[18]        -76.6488     0.1500
[19]         60.3732     5.6500    1.49700      81.61
[20]        -60.3732     1.2000    1.80518      25.46
[21]       -480.5250        d21
[22]       -126.4582     1.2000    1.68893      31.16
[23]        163.8536     3.0000
[24]         83.9198     3.8500    1.80518      25.46
[25]        -80.7029     0.9500    1.72916      54.67
[26]         32.2459     3.7000
[27]        -79.7819     0.9500    1.71300      53.94
[28]        115.3757     2.5200
[29]         65.3628     6.4500    1.80611      40.73
[30]        -84.9715     0.7500
[31]       -198.7778     1.3000    1.75520      27.53
[32]         32.2918     6.7000    1.83400      37.35
[33]        521.3975         Bf
【００９２】
［可変間隔］
INF     |β|=0.5   |β|=1.0
d8      2.3000    11.1885    21.5813
d15    26.2200    17.3315     6.9387
d16    22.0600    11.9094     2.5006
d21     2.5000    12.6506    22.0594
【００９３】
［レンズ群データ］
群番号     先頭面   群焦点距離
1          1          76.2551
2          9         -57.6335
3          17         47.0426
4          22       -118.0983
5          24        -37.1256
6          29         54.0399
4,5,6        22        -68.7533
【００９４】
［条件式対応値］
実施例３
条件式（１）            0.40
条件式（２）            0.54
条件式（３）            0.79
条件式（４）            1.65
条件式（５）            0.13
条件式（６）           71.36
条件式（７）           68.14
条件式（８）            0.52
条件式（９）            0.40
条件式（１０）          0.32
条件式（１１）          0.47
【００９５】
［数値実施例４］
［全体諸元］
INF  |β|=0.5|β|=1.0
f     150.00   110.38   81.92
Fno     2.92     4.37    5.85
Y      21.63    21.63   21.63
【００９６】
［レンズ諸元］
ｒ          ｄ        ｎｄ       νｄ
[1]         110.1005     7.3000    1.58913      61.25
[2]        -334.3556     0.2000
[3]          95.8862     1.8000    1.67270      32.17
[4]          59.2389     7.7300    1.49700      81.61
[5]         436.3191     0.2000
[6]          53.0246     9.1000    1.49700      81.61
[7]        -140.2128     1.6000    1.83400      37.35
[8]         149.0724         d8
[9]         144.3289     1.3000    1.71300      53.94
[10]         45.2358     3.8900
[11]        964.9900     1.2000    1.56384      60.83
[12]         32.9256     4.5900    1.84666      23.78
[13]         56.9258        d13
[14]            絞り        d14
[15]        108.9916     4.4800    1.72916      54.67
[16]        -87.9894     0.1500
[17]         60.6020     5.8800    1.49700      81.61
[18]        -57.0139     1.2000    1.80518      25.46
[19]       -182.4864        d19
[20]       -210.0706     1.2000    1.69895      30.05
[21]        153.0289     3.2900
[22]        103.6003     3.0600    1.80518      25.46
[23]       -111.8029     0.8500    1.56384      60.83
[24]         28.9364     4.2500
[25]        -66.9219     0.8500    1.72916      54.67
[26]         92.4549     3.2300
[27]         63.0365     4.2600    1.72916      54.67
[28]       -262.8279     0.8700
[29]        466.8804     1.3000    1.84666      23.78
[30]        123.9887     4.2000    1.77250      49.62
[31]       -225.2904         Bf
【００９７】
［可変間隔］
INF     |β|=0.5   |β|=1.0
d8      3.0000    12.8271    24.3397
d13    29.8200    19.9929     8.4803
d14    21.6600    11.5327     2.0002
d19     2.0000    12.1273    21.6598
【００９８】
［レンズ群データ］
群番号     先頭面   群焦点距離
1          1          81.6540
2          9         -59.6260
3          15         45.5861
4          20       -126.4960
5          22        -35.1241
6          27         53.8809
4,5,6        20        -70.2213
【００９９】
［条件式対応値］
実施例４
条件式（１）            0.36
条件式（２）            0.50
条件式（３）            0.77
条件式（４）            1.76
条件式（５）            0.13
条件式（６）           74.82
条件式（７）           68.14
条件式（８）            0.54
条件式（９）            0.40
条件式（１０）          0.30
条件式（１１）          0.47
【０１００】
［数値実施例５］
［全体諸元］
INF  |β|=0.5|β|=1.0
f     150.00   110.47   82.21
Fno     2.92     4.37    5.82
Y      21.63    21.63   21.63
【０１０１】
［レンズ諸元］
ｒ          ｄ        ｎｄ       νｄ
[1]         117.7006     6.0000    1.77250      49.62
[2]       -1364.1695     0.2000
[3]         109.6048     1.8000    1.72825      28.32
[4]          64.2152     8.1000    1.45860      90.19
[5]       -1279.0416     0.2000
[6]          52.7127     9.0000    1.49700      81.61
[7]        -145.8681     1.6000    1.83400      37.35
[8]         142.3900         d8
[9]         141.1378     1.3000    1.71300      53.94
[10]         48.6529     3.5900
[11]        749.5201     1.2000    1.58913      61.25
[12]         33.7721     4.5400    1.84666      23.78
[13]         58.2608        d13
[14]            絞り        d14
[15]        116.2118     4.1900    1.77250      49.62
[16]        -97.4614     0.5600
[17]         64.6532     5.6300    1.59282      68.62
[18]        -57.9634     1.2000    1.80518      25.46
[19]       -357.8029        d19
[20]       -308.8472     1.2000    1.83400      37.35
[21]         92.4220     3.6300
[22]         98.5724     3.1000    1.80518      25.46
[23]       -110.6194     0.8500    1.51680      64.20
[24]         30.8101     4.6500
[25]        -74.5307     0.8500    1.72916      54.67
[26]         84.3267     3.2500
[27]         64.7996     5.1200    1.72916      54.67
[28]       -251.4259     0.7200
[29]        166.5131     1.3000    1.84666      23.78
[30]         71.0597     4.6600    1.71300      53.94
[31]       -480.6700         Bf
【０１０２】
［可変間隔］
INF     |β|=0.5   |β|=1.0
d8      3.0000    13.2735    25.6349
d13    31.1000    20.8265     8.4651
d14    21.0000    11.1804     2.0000
d19     2.0200    11.8396    21.0200
【０１０３】
［レンズ群データ］
群番号     先頭面   群焦点距離
1          1          83.1675
2          9         -62.7787
3          15         45.2342
4          20        -85.1778
5          22        -41.1289
6          27         54.1256
4,5,6        20        -69.4821
【０１０４】
［条件式対応値］
実施例５
条件式（１）            0.53
条件式（２）            0.59
条件式（３）            0.78
条件式（４）            1.50
条件式（５）            0.13
条件式（６）           73.81
条件式（７）           59.12
条件式（８）            0.55
条件式（９）            0.42
条件式（１０）          0.30
条件式（１１）          0.46
【符号の説明】
【０１０５】
Ｓ：開口絞り
Ｉ：像面
Ｌ１：第１レンズ群
Ｌ２：第２レンズ群
Ｌ３：第３レンズ群
Ｌ４：第４レンズ群
Ｌ５：第５レンズ群
Ｌ６：第６レンズ群
Ｃ  Ｃ線（波長λ＝６５６．３ｎｍ）
ｄ  ｄ線（波長λ＝５８７．６ｎｍ）
ｇ  ｇ線（波長λ＝４３５．８ｎｍ）
Ｙ  像高
ΔＳ  サジタル像面
ΔＭ  メジオナル像面
【図１】
0005558281.tif 000002
【図２】
0005558281.tif 000003
【図３】
0005558281.tif 000004
【図４】
0005558281.tif 000005
【図５】
0005558281.tif 000006
【図６】
0005558281.tif 000007
【図７】
0005558281.tif 000008
【図８】
0005558281.tif 000009
【図９】
0005558281.tif 000010
【図１０】
0005558281.tif 000011
【図１１】
0005558281.tif 000012
【図１２】
0005558281.tif 000013
【図１３】
0005558281.tif 000014
【図１４】
0005558281.tif 000015
【図１５】
0005558281.tif 000016
【図１６】
0005558281.tif 000017
【図１７】
0005558281.tif 000018
【図１８】
0005558281.tif 000019
【図１９】
0005558281.tif 000020
【図２０】
0005558281.tif 000021
【図２１】
0005558281.tif 000022
【図２２】
0005558281.tif 000023
【図２３】
0005558281.tif 000024
【図２４】
0005558281.tif 000025
【図２５】
0005558281.tif 000026
【図２６】
0005558281.tif 000027
【図２７】
0005558281.tif 000028
【図２８】
0005558281.tif 000029
【図２９】
0005558281.tif 000030
【図３０】
0005558281.tif 000031
【図３１】
0005558281.tif 000032
【図３２】
0005558281.tif 000033
【図３３】
0005558281.tif 000034
【図３４】
0005558281.tif 000035
【図３５】
0005558281.tif 000036
【図３６】
0005558281.tif 000037
【図３７】
0005558281.tif 000038
【図３８】
0005558281.tif 000039
【図３９】
0005558281.tif 000040